(57)【特許請求の範囲】
【請求項１】
室外機と、電源線と信号線と信号電源線とによって前記室外機に接続された室内機とを備え、前記信号線を介して制御情報の通信が行われる空気調和機であって、
前記室外機は、
商用電源から直流電源を生成する交直変換部と、
前記交直変換部に接続され、送信データに基づいて前記信号線への通電を制御する室外機送信フォトカプラと、
前記室外機送信フォトカプラに接続され、通電の有無を検出した結果に基づいて、受信データを出力する室外機受信フォトカプラと、
前記送信データを前記室外機送信フォトカプラに出力し、前記受信データを前記室外機受信フォトカプラから受信する第１コントローラと、
を備え、
前記室内機は、
前記信号線に接続され、送信データに基づいて前記交直変換部の通電を制御する室内機送信フォトカプラと、
前記室内機送信フォトカプラに接続され、通電の有無を検出した結果に基づいて、受信データを出力する室内機受信フォトカプラと、
前記送信データを前記室内機送信フォトカプラに出力し、前記受信データを前記室内機受信フォトカプラから受信する第２コントローラと、
を備え、
前記コントローラは、前記室外機送信フォトカプラ又は前記室内機送信フォトカプラにおける、オフ状態からオン状態へ移行するまでの時間とオン状態からオフ状態へ移行するまでの時間との差に基づいてビットごとに前記送信データのビット長を前記送信データのビット値が変化した直後に変化させる空気調和機。
【請求項２】
前記室外機からの前記室内機への通信速度と、前記室内機から前記室外機への通信速度が異なる請求項１に記載の空気調和機。
【請求項３】
前記コントローラは、前記室外機送信フォトカプラと前記室外機受信フォトカプラの動作速度に基づいて、前記ビット長を変化させる請求項１又は２に記載の空気調和機。
【請求項４】
前記信号電源線は、前記室外機と前記室内機との間の電力供給及び通信に用いられる請求項１から３のいずれか一項に記載の空気調和機。
【発明の詳細な説明】
【技術分野】
【０００１】
本発明は、空気調和機に関し、更に詳しくは、室外機と室内機とを備える空気調和機に関する。
【背景技術】
【０００２】
オフィスビルや大型店舗等の商業施設で利用される空調システムでは、各テナントやフロアに配置される複数の室内機が、室外機を共用する。この種の空調システムでは、当該空調システムの低価格化と、導入時の施工作業の簡略化のために、電源線、信号線、及び共用線（コモンライン）からなる３芯ケーブルによって、室内機と室外機が接続される（例えば特許文献１参照）。室内機と室外機との接続に３芯ケーブルを用いることで、シリアル通信を行うための通信系統と電源系統とを同時に敷設することができる。
【０００３】
上述した３芯ケーブルによって、室外機と室内機とを接続する際に、室外機や室内機の通信回路に電源線が誤って接続されると、通信回路に高電圧が印加され、当該通信回路が故障する場合がある。このため、室外機と室内機との間で通信を行う通信回路では、スイッチング素子として耐圧特性に優れたフォトカプラが使用される。
【０００４】
例えば、特許文献１に開示された装置は、送信スイッチ部に高耐圧のフォトカプラが用いられ、送受信回路部と信号線の間に高耐圧のダイオードが接続されている。これにより、誤配線による通信回路の故障が回避される。
【先行技術文献】
【特許文献】
【０００５】
【特許文献１】特許第２９４８５０２号公報
【発明の概要】
【発明が解決しようとする課題】
【０００６】
しかしながら、耐電圧の高いフォトカプラは動作速度が遅く、オフ状態からオン状態へ移行するまでの時間と、オン状態からオフ状態へ移行するまでの時間とに差がある場合もある。このため、上述のフォトカプラをスイッチング素子として用いた通信を行うと、送信側の通信装置から出力されるデータ（送信データ）のビット幅と、受信側の通信装置へ入力されるデータ（受信データ）のビット幅に差が生じてしまうことがある。この現象は、データの送信を開始したときや、送信の前後でデータのビット値が変わるときに頻繁に発生し、ビット幅の相違の程度によっては、通信が阻害されてしまう。
【０００７】
また、同一の規格に基づいて製造されたフォトカプラであっても、個体差や経年劣化、或いは電源系統から通信系統へ流入する高調波等によって、送信側のフォトカプラの動作速度と、受信側のフォトカプラの動作速度に差が生じることがある。この動作速度の差の程度は、空調システムごとに異なる。このため、安定した通信を確立するためには、ビット幅の補正を、空調システムごとに行う必要がある。
【０００８】
本発明は、上述の事情の下になされたもので、室外機と室内機との間の誤配線から通信回路を保護するとともに、通信の品質を向上させることを目的とする。
【課題を解決するための手段】
【０００９】
上記目的を達成するため、本発明の空気調和機は、
室外機と、電源線と信号線と信号電源線とによって前記室外機に接続された室内機とを備え、前記信号線を介して制御情報の通信が行われる空気調和機であって、
前記室外機は、
商用電源から直流電源を生成する交直変換部と、
前記交直変換部に接続され、送信データに基づいて前記信号線への通電を制御する室外機送信フォトカプラと、
前記室外機送信フォトカプラに接続され、通電の有無を検出した結果に基づいて、受信データを出力する室外機受信フォトカプラと、
前記送信データを前記室外機送信フォトカプラに出力し、前記受信データを前記室外機受信フォトカプラから受信する第１コントローラと、
を備え、
前記室内機は、
前記信号線に接続され、送信データに基づいて前記交直変換部の通電を制御する室内機送信フォトカプラと、
前記室内機送信フォトカプラに接続され、通電の有無を検出した結果に基づいて、受信データを出力する室内機受信フォトカプラと、
前記送信データを前記室内機送信フォトカプラに出力し、前記受信データを前記室内機受信フォトカプラから受信する第２コントローラと、
を備え、
前記コントローラは、前記室外機送信フォトカプラ又は前記室内機送信フォトカプラにおける、オフ状態からオン状態へ移行するまでの時間とオン状態からオフ状態へ移行するまでの時間との差に基づいてビットごとに前記送信データのビット長を前記送信データのビット値が変化した直後に変化させる。
【発明の効果】
【００１０】
本発明によれば、通信を行うコントローラは、フォトカプラを介して、信号線に接続されている。このため、信号線と電源線とが誤配線されたとしても、コントローラに直接高電圧が印加されることがない。したがって、コントローラの故障や損傷を回避することができる。また、コントローラは、通信属性に基づいて、送信データのビット長を変化させる。このため、フォトカプラの動作速度に応じて、送信データのビット長を変化させることで、データを正確に送受信することができ、結果的に通信の品質を向上させることが可能となる。
【図面の簡単な説明】
【００１１】
【図１】本実施形態に係る空気調和機のブロック図である。
【図２】コントローラのブロック図である。
【図３】通信属性を示す図である。
【図４】送信情報の一例を示す図である。
【図５】ベースバンド信号と、出力信号と、受信情報とを示す図である。
【発明を実施するための形態】
【００１２】
《第１の実施形態》
以下、本発明の第１の実施形態を、図面を参照して説明する。図１は本実施形態に係る空気調和機１０のブロック図である。この空気調和機１０は、例えばオフィスビルに代表される施設に設置される。図１に示されるように、空気調和機１０は、屋上等に配置される室外機２０と、オフィスビルの各フロアに配置される複数の室内機３０を有している。そして、室外機２０と室内機３０は、商用電源５０に接続される電源線４１及び共用線（コモンライン）４３と、データ通信に用いられる信号線４２によって接続されている。
【００１３】
室外機２０は、熱交換ユニット２１、交直変換装置２２、及び通信装置２３を有している。
【００１４】
熱交換ユニット２１は、冷却ファン、熱交換器等から構成されている。この熱交換ユニット２１は、例えば、室内機３０の空調ユニット３１との間を循環する冷媒と外気との間で熱交換を行う。
【００１５】
交直変換装置２２は、商用電源５０からの電流を整流し、通信装置２３へ供給する直流電源として機能する。この交直変換装置２２は、商用電源５０に対して直列に接続された抵抗Ｒ１、ダイオードＤ１、及びツェナーダイオードＺＤ１と、ツェナーダイオードＺＤ１に対して並列に接続された平滑コンデンサＣ１から構成されている。この交直変換装置２２では、図中の点Ｐの電圧Ｖｐがほぼ一定に維持される。なお、電圧Ｖｐは２５Ｖ程度である。
【００１６】
通信装置２３は、例えば、熱交換ユニット２１の運転状況に関する情報等を室内機３０へ送信し、室内機３０から送信される情報を受信する装置である。この通信装置２３は、コントローラ２４、２つのフォトカプラ２５，２６を有している。
【００１７】
コントローラ２４は、ベースバンド方式の通信を行うユニットである。このコントローラ２４は、室内機３０の通信装置３３へ情報を送信する際には、ベースバンド信号を、出力ポートＰ０から抵抗Ｒ２を介して、フォトカプラ２５へ出力する。また、室内機３０の通信装置３３から情報を受信する際には、フォトカプラ２６を介して入力ポートＰ１から入力されるベースバンド信号を受信する。
【００１８】
図２は、コントローラ２４のブロック図である。図２に示されるように、コントローラ２４は、制御部２４ａ、送信部２４ｂ、通信属性格納部２４ｃ、及び受信部２４ｄを有している。
【００１９】
通信属性格納部２４ｃは、ＲＯＭ（Read Only Memory）、磁気ディスク、半導体メモリ等の不揮発性メモリを有している。この通信属性格納部２４ｃには、送信情報に基づいて生成されるベースバンド信号のパルス幅を規定するための室外機通信属性情報が格納されている。この室外機通信属性情報は、例えば図３（Ａ）を参照するとわかるように、送信ビット長ＴＢ１、送信ビット長ＴＬＨ１、送信ビット長ＴＨＬ１、及び受信ビット長ＴＲ１からなる。
【００２０】
送信ビット長ＴＢ１は、１ビットの送信情報に対応するベースバンド信号のパルス幅の理論値である。室外機が室内機に情報を送信する際の通信速度がＸ［ｂｐｓ］の場合、送信ビット長ＴＢは１／Ｘ［ｓｅｃ］となる。
【００２１】
送信ビット長ＴＬＨ１は、ビット値が０の情報が送信された直後に送信される、ビット値が１の送信情報に対応するベースバンド信号のパルス幅を決定するための情報である。この送信ビット長ＴＬＨ１の大きさは、フォトカプラ２５が、オフ状態からオン状態へ移行するまでの時間ＴＤ１から、フォトカプラ２５が、オン状態からオフ状態へ移行するまでの時間ＴＤ２を減じた値（＝ＴＤ１−ＴＤ２）を、送信ビット長ＴＢ１に加えた値とほぼ等価である（ＴＬＨ１＝ＴＢ１＋（ＴＤ１−ＴＤ２））。
【００２２】
送信ビット長ＴＨＬ１は、ビット値が１の情報が送信された直後に送信される、ビット値が０の送信情報に対応するベースバンド信号のパルス幅を決定するための情報である。この送信ビット長ＴＨＬ１の大きさは、時間ＴＤ２から時間ＴＤ１を減じた値（＝ＴＤ２−ＴＤ１）を、送信ビット長ＴＢ１に加えた値とほぼ等価である（ＴＨＬ１＝ＴＢ１＋（ＴＤ２−ＴＤ１））。
【００２３】
受信ビット長ＴＲ１は、１ビットの受信情報に対応するベースバンド信号のパルス幅の理論値である。室内機が室外機に情報を送信する際の通信速度がＹ［ｂｐｓ］の場合、受信ビット長ＴＲは１／Ｙ［ｓｅｃ］となる。
【００２４】
通信装置２３では、送信ビット長ＴＢは１ｍｓ、送信ビット長ＴＬＨ１は１．２ｍｓ、送信ビット長ＴＨＬ１は０．８ｍｓ、受信ビット長ＴＲ１は２ｍｓと規定されている。
【００２５】
図２に戻り、送信部２４ｂは、制御部２４ａから受け付けた制御情報を、１ビットごとに出力ポートＰ０からシリアルデータとして出力する。このとき出力するシリアルデータのビット幅は、室外機通信属性情報の内容によって決定される。ここでは、送信部２４ｂは、ビット値が「１」の場合に電気的にハイレベルとなり、ビット値が「０」の場合に電気的にローレベルとなる信号を出力する。また、送信部２４ｂは、いずれかの室内機３０が制御情報を送信している間は、出力ポートＰ０から出力される信号をハイレベルに固定する。これにより、フォトカプラ２５がオンの状態になる。
【００２６】
図４はシリアルデータを模式的に示す図である。図４に示されるように、シリアルデータは、８ビット単位に分割された制御情報と、制御情報の先頭に追加されたスタートビットＳＴと、制御情報の末尾に追加されたストップビットＳＰとからなる１０ビットを１単位としたデータ列として構成される。
【００２７】
送信部２４ｂは、図４に示される送信情報と、通信属性格納部２４ｃに格納された室外機通信属性情報に基づいて、出力ポートＰ０に出力するベースバンド信号を生成する。図５には、送信部２４ｂによって生成されるベースバンド信号と、室内機３０に出力される出力信号と、出力信号に対応する受信情報とが示されている。ベースバンド信号は、ビット値が１の単位データに対応する部分がハイレベルとなり、ビット値が０の単位データに対応する部分がローレベルとなる。
【００２８】
制御部２４ａからの制御情報を受信すると、送信部２４ｂは、スタートビットＳＴ、単位データｂ０〜ｂ７、及びストップビットＳＰからなる送信情報に基づいて、ベースバンド信号を生成する。
【００２９】
具体的には、送信部２４ｂは、直前に送信した単位データがないか、或いはビット値が０の単位データを送信した直後に、ビット値が１の単位データを送信する場合には、ベースバンド信号を、送信ビット長ＴＬＨ１に相当する時間（１．２ｓｅｃ）だけハイベルにする。また、直前に送信した単位データとビット値が同一の単位データを送信する場合には、ベースバンド信号を、送信ビット長ＴＢ１に相当する時間（１ｍｓｅｃ）だけハイレベル或いはローレベルにする。また、ビット値が１の単位データを送信した直後に、ビット値が０の単位データを送信する場合には、ベースバンド信号を、送信ビット長ＴＨＬ１に相当する時間（０．８ｍｓｅｃ）だけローレベルにする。
【００３０】
上述したように、スタートビットＳＴ、及び単位データｂ０，ｂ１，ｂ５，ｂ７のビット値は１で、ストップビットＳＰ、及び単位データｂ２，ｂ３，ｂ４，ｂ６のビット値は０である。この送信情報を送信する場合に生成されるベースバンド信号は、図５に示されるように、送信開始時刻ｔ１から、スタートビットＳＴの送信が終了する時刻ｔ２までの送信ビット長ＴＬＨ１に相当する時間と、単位データｂ０に対応する送信ビット長ＴＢ１に対応する時間と、単位データｂ１に対応する送信ビット長ＴＢ１に対応する時間だけハイレベルとなる。
【００３１】
また、ベースバンド信号は、単位データｂ２の送信が開始される時刻ｔ４から、送信が終了する時刻ｔ６までの送信ビット長ＴＨＬ１に相当する時間と、単位データｂ３に対応する送信ビット長ＴＢ１に対応する時間と、単位データｂ４に対応する送信ビット長ＴＢ１に対応する時間だけローレベルとなる。
【００３２】
同様に、ベースバンド信号は、単位データｂ５の送信が開始される時刻ｔ７から、送信が終了する時刻ｔ８までの送信ビット長ＴＬＨに相当する時間ハイベルとなる。また、単位データｂ６の送信が開始される時刻ｔ８から、送信が終了する時刻ｔ９までの送信ビット長ＴＨＬ１に相当する時間ローレベルとなる。また、単位データｂ７の送信が開始される時刻ｔ９から、送信が終了する時刻ｔ１０までの送信ビット長ＴＬＨ１に相当する時間ハイベルとなる。また、ストップビットＳＰの送信が開始される時刻ｔ１０から、送信が終了する時刻ｔ１１までの送信ビット長ＴＨＬ１に相当する時間ローレベルとなる。上述したベースバンド信号は、出力ポートＰ０に出力される。
【００３３】
図２に戻り、受信部２４ｄは、入力ポートＰ１へ入力されたベースバンド信号の電気レベルを判定し、室外機通信属性情報の内容（受信ビット長ＴＲ１）に基づいてサンプリング処理を行う。
【００３４】
フォトカプラ２５，２６は、商用電源に対して十分な耐電圧特性を有する高コレクタ耐圧品であり、発光ダイオードＬＤとスイッチング素子ＳＤとを有している。発光ダイオードＬＤは、電圧が印加されるとスイッチング素子ＳＤへ照明光を射出する。そして、スイッチング素子ＳＤは、発光ダイオードＬＤからの照明光を受光するとオン（閉）となり、それ以外のときにオフ（開）となる。
【００３５】
図１に示されるように、通信装置２３では、フォトカプラ２５の発光ダイオードＬＤが、抵抗Ｒ２を介して、コントローラ２４の出力ポートＰ０に接続され、フォトカプラ２６のスイッチング素子ＳＤが、抵抗Ｒ３を介して、コントローラ２４の入力ポートＰ１に接続されている。そして、フォトカプラ２５のスイッチング素子ＳＤと、フォトカプラ２６の発光ダイオードＬＤとが交直変換装置２２に対して直列に接続されている。また、フォトカプラ２６のスイッチング素子ＳＤの一端には、所定の電源による電圧が印加され、他端は抵抗Ｒ５を介して接地されている。
【００３６】
少なくとも１台の室内機３０のフォトカプラ３５を構成するスイッチング素子ＳＤがオンの状態において、上述のように構成された通信装置２３では、コントローラ２４から出力され、フォトカプラ２５によって受け付けられたシリアルデータ（ベースバンド信号）がハイレベルになると、フォトカプラ２５のスイッチング素子ＳＤがオンになり、交直変換装置２２から信号線４２を介して共用線４３に電流が流れる。一方、コントローラ２４から出力され、フォトカプラ２５によって受け付けられたシリアルデータ（ベースバンド信号）がローレベルになると、フォトカプラ２５のスイッチング素子ＳＤがオフになり、信号線４２、共用線４３の電流が遮断される。室内機３０は、信号線４２、共用線４３の通電状態をフォトカプラ３６で検知することにより、室外機２０と通信を行う。
【００３７】
通信装置２３は、フォトカプラ２５の動作速度の差異、具体的にはオンからオフになるまでの時間と、オフからオンになるまでの時間との差異を考慮したシリアルデータ（ベースバンド信号）を出力する。このため、フォトカプラ２５から出力される信号線４２に流れるシリアルデータは、ビット間隔がほぼ一定となる。したがって、室内機３０は、上述のシリアルデータを精度よく受信することが可能となる。
【００３８】
上述した、出力信号は、図５を参照するとわかるように、ハイベルになる時間と、ハイレベル以外になる時間とが、送信情報を構成する単位データのビット長の整数倍の時間に相当する。そして、この出力信号は、抵抗Ｒ４、及びダイオードＤ２を介して室内機３０へ入力され、抵抗Ｒ６、及びダイオードＤ３を介して、室内機３０の通信装置３３に受信される。
【００３９】
また、通信装置２３では、フォトカプラ２６の発光ダイオードＬＤに電圧が印加されると、フォトカプラ２６のスイッチング素子ＳＤがオンになる。これにより、コントローラ２４の入力ポートＰ１に電圧が印可される。コントローラ２４の受信部２４ｄは、室内機３０の通信装置３３の動作に同期してフォトカプラ２６が動作することによって、入力ポートＰ１に印加される電圧信号から受信情報を抽出する。
【００４０】
図１に戻り、室内機３０は、空調ユニット３１、及び通信装置３３を有している。
【００４１】
空調ユニット３１は、送風ファン、送風ファンを駆動するインバータモータ等から構成されている。この空調ユニット３１は、例えば、室外機２０の熱交換ユニット２１との間を循環する冷媒によって冷却された空調空気を、冷却対象となる空間へ放出する。
【００４２】
通信装置３３は、室外機２０に対して制御情報の通信処理を行う。この通信装置３３は、通信装置２３と同等の構成であり、コントローラ３４、２つのフォトカプラ３５，３６等から構成されている。通信装置４２は、抵抗Ｒ６、ダイオードＤ３、フォトカプラ３５を介してフォトカプラ３６の一端に接続されている。そして、フォトカプラ３６の他端は、共用線４３に接続されている。また、共用線４３と信号線４２との間には、ダイオードＤ４が設けられている。
【００４３】
フォトカプラ３５には、高コレクタ耐圧品を使用し、ダイオードＤ３，Ｄ４に高耐圧品を使用することで、誤って信号線４２と電源線４１とが接続され、回路に高電圧が印加されたとしても、フォトカプラ３５、ダイオードＤ３，Ｄ４によって、通信装置３３の回路が保護される。したがって、誤配線によって当該回路が故障することとはない。
【００４４】
コントローラ３４では、フォトカプラ３５がオンであるときに、通信装置２３から出力信号が出力されると、出力信号の立ち上がりに同期して、フォトカプラ３６が動作する。これにより、出力信号に相似な電気信号が、コントローラ３４の入力ポートＰ１に入力される。コントローラ３４は、図３（Ｂ）に示される室内機通信属性情報を構成する受信ビット長ＴＲ２（＝送信ビット長ＴＢ１）を参照して、電気信号を受信ビット長ＴＲ２と等価な周期でサンプリングする。また、このサンプリングは、例えば電気信号がハイレベルとなってから受信ビット長ＴＲ２の半分の時間が経過した時点で開始する。
【００４５】
図５を参照するとわかるように、このサンプリングにより、丸印に対応する出力信号の値が順次サンプリングされる。これにより、１０ビットの単位データからなる情報［１１１０００１０１０］が受信される。
【００４６】
また、室外機２０を構成するフォトカプラ２５のスイッチング素子ＳＤがオンの状態において、上述のように構成された通信装置３３では、コントローラ３４から出力され、フォトカプラ３５によって受け付けられたシリアルデータ（ベースバンド信号）がハイレベルになると、フォトカプラ３５のスイッチング素子ＳＤがオンになり、交直変換装置２２から信号線４２を介して共用線４３に電流が流れる。一方、コントローラ３４から出力され、フォトカプラ３５によって受け付けられたシリアルデータ（ベースバンド信号）がローレベルになると、フォトカプラ３５のスイッチング素子ＳＤがオフになり、信号線４２、共用線４３の電流が遮断される。室外機２０は、信号線４２、共用線４３の通電状態をフォトカプラ２６で検知することにより、室内機３０と通信を行う。
【００４７】
通信装置２３のコントローラ２４は、図３（Ａ）に示される室外機通信属性情報を構成する受信ビット長ＴＲ１（＝送信ビット長ＴＢ２）を参照して、電気信号を受信ビット長ＴＲ１と等価な周期でサンプリングする。これにより、１０ビットの単位データからなる情報を受信することができる。
【００４８】
以上説明したように、本実施形態では、情報の送信に用いられる室外機２０のフォトカプラ２５、及び室内機３０のフォトカプラ３５として、商用電源を遮断することが可能な高耐圧のフォトカプラが用いられている。したがって、信号線と電源線とが誤って誤配線されたとしても、コントローラ２４，３４に直接高電圧が印加されることがない。したがって、誤配線によるコントローラ２４，３４の故障や損傷を回避することができる。
【００４９】
また、本実施形態では、通信装置２３において、フォトカプラ２５が、オフ状態からオン状態へ移行するまでの時間ＴＤ１と、フォトカプラ２５が、オン状態からオフ状態へ移行するまでの時間ＴＤ２を考慮して、当該フォトカプラ２５を駆動するためのベースバンド信号が生成される。そして、このベースバンド信号によって、フォトカプラ２５が動作することで、情報を受信する通信装置３３へ出力される出力信号が生成される。このため、出力信号は、図５を参照するとわかるように、ハイベルになる時間と、ハイレベル以外になる時間とが、送信情報を構成する単位データのビット長の整数倍の時間に相当する。したがって、情報を受信する通信装置３３は、単位データのビット長に相当する受信ビット長ＴＲが経過するごとに、出力信号をサンプリングすることで、精度良く複数ビットの単位データからなる情報を受信することができる。
【００５０】
本実施形態に係る通信装置２３，３３は、情報の送信方向に応じて、最適にビット幅の調整を行うことができる。したがって、一方の方向の通信速度の高速化が困難な場合であっても、他の方向の通信の高速化を実現することができる。
【００５１】
本実施形態では、フォトカプラの動作速度にかかわらず、ハイベルになる時間と、ハイレベル以外になる時間とが、送信情報を構成する単位データのビット長の整数倍の時間に相当する出力信号を生成することができる。このため、空気調和機１０を構成する室外機２０及び室内機３０の規格や、商用電源の電圧値に応じた電圧強度を有するフォトカプラを、通信装置２３に任意に利用することが可能となる。これにより、装置の保護を実現するとともに、装置の低コスト化を図ることが可能となる。
【００５２】
本実施形態では、室内機３０１乃至３０Ｎは、相互に同等の構成となっている。このため、各室内機３０は、室外機２０から送信される情報を同時に受信することができる。
【００５３】
本実形態では、空気調和機１０が複数の室内機３０から構成されている場合について説明した。これに限らず、空気調和機１０は、１台の室内機から構成されていてもよい。
【００５４】
本実施形態では、図３を参照するとわかるように、フォトカプラ２５が、オフ状態からオン状態へ移行するまでの時間ＴＤ１と、フォトカプラ２５が、オン状態からオフ状態へ移行するまでの時間ＴＤ２が同等であるものとした。これに限らず、時間ＴＤ１と時間ＴＤ２とは相違していてもよい。
【００５５】
以上、本発明の各実施形態について説明したが、本発明は上記各実施形態によって限定されるものではない。
【００５６】
例えば、上記実施形態では、コントローラ２４が、制御部２４ａ、送信部２４ｂ、通信属性格納部２４ｃ、及び受信部２４ｄから構成されている場合について説明した。これに限らず、コントローラ２４として、ＣＰＵ（Central Processing Unit）、主記憶部、補助記憶部等を備えるコンピュータや、マイクロコンピュータを用いてもよい。
【産業上の利用可能性】
【００５７】
本発明の空気調和機は、空調対象空間の空調に適している。
【符号の説明】
【００５８】
１０  空気調和機
２０  室外機
２１  熱交換ユニット
２２  交直変換装置
２３  通信装置
２４  コントローラ
２４ａ  制御部
２４ｂ  送信部
２４ｃ  通信属性格納部
２４ｄ  受信部
２５  フォトカプラ
２６  フォトカプラ
３０  室内機
３１  空調ユニット
３３  通信装置
３４  コントローラ
３５  フォトカプラ
３６  フォトカプラ
４１  電源線
４２  信号線
４３  共用線（コモンライン）
５０  商用電源
Ｃ１  平滑コンデンサ
Ｄ１〜Ｄ４  ダイオード
ＬＤ  発光ダイオード
Ｐ  点
Ｐ０  出力ポート
Ｐ１  入力ポート
Ｒ１〜Ｒ７  抵抗
ＳＤ  スイッチング素子
ＳＰ  ストップビット
ＳＴ  スタートビット
ＺＤ１  ツェナーダイオード
ｂ０〜ｂ７  メインデータ
【図１】
0005627490.tif 000002
【図２】
0005627490.tif 000003
【図３】
0005627490.tif 000004
【図４】
0005627490.tif 000005
【図５】
0005627490.tif 000006